(57)【特許請求の範囲】
【請求項１】
上りリンクチャネル（１７）および下りリンクチャネル（１６）で複数のユーザ装置（１８）と通信する通信ネットワークノード（１０；１５）を備える電気通信システムにおいて、異なる無線アクセス技術間の相互作用を処理するユーザ装置（１８）における方法であって、
前記ユーザ装置（１８）がどの動作モードにあるかに依存して異なる動作モードの各々について異なる無線アクセス技術優先度設定を受信するステップを有し、
前記ユーザ装置がパケット転送モードにある場合、前記受信するステップでは、さらに実行中のサービスの種類に基づいて無線アクセス技術優先度設定を受信することを特徴とする方法。
【請求項２】
測定を実行すべきは、どの無線アクセス技術か、およびどの周波数または周波数グループか、またはそのいずれかを決定するため、受信した前記無線アクセス技術優先度設定を使用するステップを更に有する
ことを特徴とする請求項１に記載の方法。
【請求項３】
前記通信ネットワークノード（１０；１５）に送信する測定報告に含めるべきは、どの無線アクセス技術か、およびどの周波数または周波数グループか、またはそのいずれかを決定するため、前記受信した無線アクセス技術優先度設定を使用するステップを更に有する
ことを特徴とする請求項１または２に記載の方法。
【請求項４】
受信した前記無線アクセス技術優先度設定に基づき、セル再選択を実行するステップを更に有する
ことを特徴とする請求項１に記載の方法。
【請求項５】
前記ユーザ装置がパケット転送モードにある場合、通信ネットワーク制御ノード（１０）が生成する優先度リストとして前記無線アクセス技術優先度設定を受信するステップを更に有する
ことを特徴とする請求項１に記載の方法。
【請求項６】
前記ユーザ装置（１８）がネットワーク制御セル再選択モードにある場合、測定を実行すべきは、どの無線アクセス技術か、およびどの周波数または周波数グループか、またはそのいずれかを決定するため、前記受信した無線アクセス技術優先度設定を使用するステップを更に有する
ことを特徴とする請求項５に記載の方法。
【請求項７】
前記ユーザ装置（１８）がネットワーク制御セル再選択モードにある場合、前記通信ネットワークノード（１０；１５）に送信する測定報告に含めるべきは、どの無線アクセス技術か、およびどの周波数または周波数グループか、またはそのいずれかを決定するため、前記受信した無線アクセス技術優先度設定を使用するステップを更に有する
ことを特徴とする請求項５または６に記載の方法。
【請求項８】
前記ユーザ装置（１８）がユーザ装置制御セル再選択モードにある場合、セル再選択をトリガすべきは、どの無線アクセス技術に対してか、およびそれらの無線アクセス技術内のどの周波数または周波数グループに対してか、またはそのいずれかを決定するため、前記受信した無線アクセス技術優先度設定を使用するステップを更に有する
ことを特徴とする請求項５に記載の方法。
【請求項９】
前記無線アクセス技術優先度設定を報知チャネルで受信するステップを更に有する
ことを特徴とする請求項１乃至８のいずれか一項に記載の方法。
【請求項１０】
前記無線アクセス技術優先度設定をシグナリングメッセージで受信するステップを更に有する
ことを特徴とする請求項１乃至８のいずれか一項に記載の方法。
【請求項１１】
上りリンクチャネル（１７）および下りリンクチャネル（１６）で複数のユーザ装置（１８）と通信する通信ネットワークノード（１０；１５）を備える電気通信システムにおいて、異なる無線アクセス技術間の相互作用を処理する通信ネットワークノード（１０；１５）における方法であって、
ユーザ装置（１８）がどの動作モードにあるかに依存して異なる動作モードの各々について異なる無線アクセス技術優先度設定を前記ユーザ装置（１８）に送信するステップを有し、
前記ユーザ装置がパケット転送モードにある場合、前記送信するステップでは、さらに実行中のサービスの種類に基づいて無線アクセス技術優先度設定を送信する
ことを特徴とする方法。
【請求項１２】
送信した前記無線アクセス技術優先度設定に基づき、無線アクセス技術、および周波数若しくは周波数グループ、またはそのいずれかの測定報告を、前記ユーザ装置（１８）から受信するステップを更に有する
ことを特徴とする請求項１１に記載の方法。
【請求項１３】
前記ユーザ装置（１８）がパケット転送モードにある場合、
パケットフローコンテキストのためのサービス品質またはサービスＵＴＲＡＮセル変更オーダまたは構成データのうちの少なくとも一つに基づき、前記無線アクセス技術優先度設定を備える優先度リストを生成し、 
前記ユーザ装置（１８）に前記優先度リストを送信する
ステップを更に有する
ことを特徴とする請求項１１に記載の方法。
【請求項１４】
パケットフローコンテキストを追加または削除する場合、前記優先度リストを更新するステップを更に有する
ことを特徴とする請求項１３に記載の方法。
【請求項１５】
前記無線アクセス技術優先度設定を報知チャネルで送信するステップを更に有する
ことを特徴とする請求項１１乃至１４のいずれか一項に記載の方法。
【請求項１６】
前記無線アクセス技術優先度設定をシグナリングメッセージで送信するステップを更に有する
ことを特徴とする請求項１１乃至１４のいずれか一項に記載の方法。
【請求項１７】
上りリンク（１７）および下りリンク（１６）チャネルで複数のユーザ装置（１８）と通信する通信ネットワークノード（１０；１５）を備える電気通信システムにおいて、異なる無線アクセス技術間の相互作用を処理するユーザ装置（１８）内の装置であって、
前記ユーザ装置（１８）がどの動作モードにあるかに基づいて異なる動作モードの各々について異なる無線アクセス技術優先度設定を受信するよう構成した受信ユニット（４７）と、
受信した前記無線アクセス技術優先度設定を用いて、測定の実行と測定報告の送信とセルの再選択とのうち少なくともひとつを制御するよう構成した処理ユニットと
を備え、
前記ユーザ装置がパケット転送モードにある場合、前記受信ユニットは、さらに実行中のサービスの種類に基づいて無線アクセス技術優先度設定を受信することを特徴とする装置。
【請求項１８】
上りリンクチャネル（１７）および下りリンクチャネル（１６）で複数のユーザ装置（１８）と通信する通信ネットワークノード（１０；１５）を備える電気通信システムにおいて、異なる無線アクセス技術間の相互作用を処理する通信ネットワークノード（１０；１５）内の装置であって、
ユーザ装置がどの動作モードにあるかに基づいて、前記ユーザ装置の異なる動作モードの各々について異なる無線アクセス技術優先度設定を生成するよう構成した処理ユニットと、
生成した前記無線アクセス技術優先度設定をユーザ装置（１８）に送信するよう構成した送信ユニット（４２；４４）を備え、
前記ユーザ装置がパケット転送モードにある場合、前記送信ユニットは、さらに実行中のサービスの種類に基づいて無線アクセス技術優先度設定を送信する
ことを特徴とする装置。
【発明の詳細な説明】
【技術分野】
【０００１】
本発明は、電気通信システムにおける方法と装置、具体的には異なる無線アクセス技術間の相互作用を処理できる装置と、同じくそのような処理のための方法に関する。
【背景技術】
【０００２】
Ｅ−ＵＴＲＡＮと呼ばれ、またロングタームエボルーション（ＬＴＥ）として知られる新しい無線アクセス技術（ＲＡＴ）を導入するため、第３世代パートナーシッププロジェクト（３ＧＰＰ）内で現在作業が進行中である。Ｅ−ＵＴＲＡＮとその他の既存の無線アクセス技術、主としてＧＳＭ／ＥＤＧＥ無線アクセスネットワーク（ＧＥＲＡＮ）およびＵＭＴＳ地上波無線アクセスネットワーク（ＵＴＲＡＮ）との間の相互作用を如何に処理するかを明確に示す。その一部として、いわゆる"無線アクセス技術の優先度"を定める。
【０００３】
ＲＡＴ優先とはネットワークからユーザ装置に報知すべき設定であり、待機モードにおける一時滞留の選択ためにユーザ装置はどの無線アクセス技術を優先すべきかということについて情報を提供する。それ故、通信事業者はユーザ装置に一般的な一時的滞留の優先度を定めてもよい。通常、通信事業者は、ユーザ装置がＥ−ＵＴＲＡＮの機能とサービス圏を持つ場合、Ｅ−ＵＴＲＡＮに一時的に留まることを、優先させるであろう。また無線アクセス技術当りの周波数レベルまたは周波数グループレベルで、これらの優先度を定義してもよいということに注目することもできる。
【０００４】
ユーザ装置がＧＥＲＡＮで動作しており、進行中の回線交換（ＣＳ）呼およびパケットセッションまたはそのいずれかを持っている場合、即ち、それが専用モードまたは二重転送モードまたはパケット転送モードにある場合、ユーザ装置に対しては制限された測定間隙のみがあるので、全ての異なる無線アクセス技術について測定を実行するのに問題があるであろう。また、ユーザ装置がネットワークへの測定報告に含める可能性のある隣接セル数に関して制限がある。従って、幾つかの異なる無線アクセス技術の中で、ユーザ装置にとって良好な無線品質を有する隣接セルがあっても、そのような全てのセルを測定し、かつネットワークにそれらのすべてに報告を送信すること、またはそのいずれかを行うことは、可能ではないであろう。
【０００５】
あるユーザ装置が実行中のサービス形式に依存して、多くの場合、Ｅ−ＵＴＲＡＮへ、または他の無線アクセス技術へさえ、ユーザ装置がセルの再選択を実行するということは好まれないであろう。例えば、ＣＳ音声呼が進行中の専用モードにユーザ装置がある場合、呼の継続期間、ユーザ装置をＧＥＲＡＮ内に保つことが、一般的には好ましいであろう。
【０００６】
専用のＧＥＲＡＮまたは二重転送モードにある間のＥ−ＵＴＲＡＮ隣接セルのために、測定報告を、そして恐らく実際の測定さえをも開始／終了する手順を導入する提案が、３ＧＰＰ  ＴＳ  ＧＥＲＡＮ内で完了していた。開始／終了コマンドは、アサイメントコマンド(ASSIGNMENT COMMAND)、周波数再定義(FREQUENCY REEDEFINITION)、測定情報(MEASUREMENT INFORMATION)、拡張測定オーダ(EXTENDED MEASUREMENT ORDER)またはハンドオーバコマンド(HANDOVER COMMAND)のメッセージおよび対応するＤＴＭメッセージにおいて、ネットワークからユーザ装置に送信するよう提案された。しかしながら、ＧＥＲＡＮからＥ−ＵＴＲＡＮへのＣＳハンドオーバは実際的には望ましくないにもかかわらず、ユーザ装置がＥ−ＵＴＲＡＮサービス圏のみの領域に入る場合、そのようなハンドオーバは依然として必要とされるであろう。加えて、一般的には、ＵＴＲＡＮはまた、待機モードでの一時的滞留の優先度については、ＧＥＲＡＮより高い優先度を持っているであろうが、もしサービス圏の理由で必要でないなら、音声呼の間に、ＵＴＲＡＮへのＣＳハンドオーバを実行することは依然として好ましくないであろう。
【０００７】
また、欧州特許出願ＥＰ１８６０９０３には、無線セル監視システムの制御方法が記載されており、文書「無線アクセス技術間の資源管理用ドライバ("Drivers for inter-RAT Radio Resource Management")」（３ＧＰＰドラフト、Ｒ２−０７１３５１）は、更なる背景技術を規定している。
また、パケット転送モードで動作している場合、あるサービス形式に対しては、転送の間の無線アクセス技術間でのセル再選択を回避するため、ユーザ装置をＧＥＲＡＮに保つことは望ましいことであろう。それ故、多くの場合、待機モードにある場合に一時的に留まる目的のために望まれる優先度と、専用モードまたは二重転送モードまたはパケット転送モードの動作のために望まれる優先度との間には相違がある。
【発明の概要】
【発明が解決しようとする課題】
【０００８】
従って、本発明の実施形態の一つの目的は、上りリンクおよび下りリンクチャネルの複数のユーザ装置と通信する通信ネットワークノードを備える電気通信システムにおいて、異なる無線アクセス技術間の相互作用を処理する、改善した方法と装置を提供することである。
【課題を解決するための手段】
【０００９】
本発明の実施形態の第一の側面によれば、請求項１の特徴部分で定めるように、ユーザ装置における方法を通してこの目的を実現し、前記ユーザ装置がどの動作モードにあるかに依存して、無線アクセス技術の優先度設定を受信するステップを実行するという方法により、異なる無線アクセス技術間の相互作用を処理する、ということを明記している。
【００１０】
本発明の実施形態の第二の側面によれば、請求項１１の特徴部分で定めるように、通信ネットワークノードにおける方法を通してこの目的を実現し、前記ユーザ装置がどの動作モードにあるかに依存して、無線アクセス技術優先度設定をユーザ装置に送信するステップを実行するという方法により、異なる無線アクセス技術間の相互作用を処理する、ということを明記している。
【００１１】
本発明の実施形態の第三の側面によれば、請求項１７の特徴部分で定めるユーザ装置における装置を通してこの目的を実現し、前記ユーザ装置がどの動作モードにあるかに依存して、無線アクセス技術優先度設定を受信するよう構成した受信ユニットを備える装置により、異なる無線アクセス技術間の相互作用を処理する、ということを明記している。
【００１２】
本発明の実施形態の第四の側面によれば、請求項１８の特徴部分で定めるように、通信ネットワークノードにおける装置を通してこの目的を実現し、前記ユーザ装置がどの動作モードにあるかに依存して、無線アクセス技術優先度設定を送信するよう構成した送信ユニットを備える装置により、異なる無線アクセス技術間の相互作用を処理する、ということを明記している。
【００１３】
従属する特許請求項には更なる実施形態を記載している。
【００１４】
異なる動作モードに異なる無線アクセス技術優先度設定を提供することが可能になる方法と装置の提供の結果、各動作モードに対するモビリティ動作が実現される。一つの無線アクセス技術、例えば、ＧＥＲＡＮから他の、例えば、Ｅ−ＵＴＲＡＮへのハンドオーバは、パケット転送の進行中は回避されて、不要な中断はより少なくなる。更に、ハンドオーバ／再選択が必要でないか好ましくない場合には、無線アクセス技術間ハンドオーバ／再選択のために関連するシグナリングが回避される。
【００１５】
更に、本発明の実施形態のその他の目的と特徴は、添付の図面と関連して考察する以下の詳細な説明から明らかになるであろう。しかしながら、理解すべきであるが、図面は単に説明を目的にしたものであり、本発明の制限を定めるとして設計しておらず、本発明ためには添付の特許請求項を参照すべきある。さらに理解すべきであるが、必ずしも拡大縮小して図面を描いていなく、別に示していない限り、それらは、本明細書で説明する構造と手順を概念的に示すことを単に意図している。
【００１６】
図面では、そこでの同様の参照文字は、幾つかの図を通して類似の要素を示している。
【図面の簡単な説明】
【００１７】
【図１】本発明の実施形態による通信ネットワークアーキテクチャを示す。
【図２】ユーザ装置における本発明の方法を示すフローチャートである。
【図３】通信ネットワークノードにおける本発明の方法を示すフローチャートである。
【図４】本発明のユーザ装置と通信ネットワークノードの簡略化したブロック図である。
【発明を実施するための形態】
【００１８】
図１は、ＧＳＭ／ＥＤＧＥ無線アクセスネットワーク（ＧＥＲＡＮ）アーキテクチャなどの無線アクセスネットワーク（ＲＡＮ）を含む通信システムを示し、一つ以上の基地局制御装置（ＢＳＣ）１０に接続した少なくとも一つの基地局（ＢＴＳ）１５（図１では２個を示す）を備える。無線アクセスネットワークはコアネットワーク（ＣＮ）１２に接続する。それぞれが下りリンク（ＤＬ）チャネル１６と上りリンク（ＵＬ）チャネル１７とを使用する複数のユーザ装置（ＵＥ）１８のために、無線アクセスネットワークとコアネットワーク１２は通信と制御を提供する。明確化の理由で、一つのみの上りリンクチャネルを１７で示し、一つの下りリンクチャネルを１６で示す。下りリンクチャネル１６で、基地局１５は各ユーザ装置１８にデータを送信する。上りリンクチャネル１７で、ユーザ装置１８は基地局１５にデータを送信する。
【００１９】
ユーザ装置１８は、移動電話機（"セルラ"電話機）および移動端末と一緒のラップトップのような移動局であってもよく、それ故、例えば、ＲＡＮと音声および／またはデータを通信する、携帯型、ポケット型、ハンドヘルド型、計算機内蔵または自動車搭載のデバイスであってもよい。
【００２０】
本発明の典型的な実施形態では、無線アクセス技術、例えば、ＧＥＲＡＮ内での異なる動作モードに対して、特定の無線アクセス技術優先度設定を導入する。ＧＥＲＡＮにおける異なる動作モードの例は、待機モードおよび専用モード、二重転送モード、パケット転送モードである。その結果、そのモードにおける希望の動作に依存して、異なる無線アクセス技術優先度設定は異なるモードに適用してもよい。
【００２１】
専用モードおよび二重転送モードにいる時に使用すべき無線アクセス技術優先度設定は、報知制御チャネル（ＢＣＣＨ）またはパケット報知制御チャネル（ＰＢＣＣＨ）で送信するシステム情報でネットワークから報知する可能性があるか、または、ユーザ装置が専用モード／二重転送モードに入る時、あるいは、例えば、アサイメントコマンド、周波数再定義、測定情報、拡張測定オーダまたはハンドオーバコマンドのメッセージおよび対応する二重転送モードメッセージにおけるモビリティ手順の間、ネットワークからユーザ装置に送信する可能性があるかのどちらかである。
【００２２】
ユーザ装置が専用モードまたは二重転送モードにあり、そのモードに特有の無線アクセス技術優先度設定を受信完了した場合、ユーザ装置はそれらの設定を使用して、以下のことをしなければならない。
【００２３】
−ユーザ装置が測定を実行しなければならないものは、どの無線アクセス技術なのか、およびそれらの無線アクセス技術内のどの周波数または周波数グループなのか、またはそのいずれかを決定し、
−ユーザ装置がネットワークに送信した測定報告に含めなければならないものは、どの無線アクセス技術なのか、およびそれらの無線アクセス技術内のどの周波数または周波数グループなのか、またはそのいずれかを決定する。
【００２４】
パケット転送モードにある場合に使用すべき無線アクセス技術優先度設定は、幾つかの異なる方法でネットワークからユーザ装置に送信してもよい。第一の代替手段として、パケットセル変更オーダおよびパケット測定オーダまたはそのいずれかのメッセージで、優先度設定を送信する。
【００２５】
第二の代替手段として、報知制御チャネルまたはパケット報知制御チャネルで送信するシステム情報で、パケット転送モードに特有の無線アクセス技術優先度設定を報知する。その結果、パケット転送モードにあるユーザ装置は、新しい設定を受信するまでに報知設定を最初に使用しなければならない。
【００２６】
第三の代替手段として、このシグナリングのためにネットワークからユーザ装置に新しいメッセージを導入する。
【００２７】
ユーザ装置がパケット転送モードにあり、パケット転送モードに特有の無線アクセス技術優先度設定の受信を完了した場合、それらの設定の使用は、ユーザ装置がいるネットワーク制御モードに依存する。
【００２８】
ＮＣ２即ちネットワーク制御セル再選択モードでは、無線アクセス技術優先度設定を以下のように使用すべきである。
【００２９】
−ユーザ装置が測定を実行しなければならないものは、どの無線アクセス技術なのか、およびそれらの無線アクセス技術内のどの周波数または周波数グループなのか、またはそのいずれかを決定し、そして、
−ユーザ装置がネットワークに送信した測定報告に含めなければならないものは、どの無線アクセス技術なのか、およびそれらの無線アクセス技術内のどの周波数または周波数グループなのか、またはそのいずれかを決定する。
【００３０】
その他のネットワーク制御モード、例えば、ユーザ装置制御セル再選択モードでは、ユーザ装置がセル再選択をトリガしなければならないものは、どの無線アクセス技術なのか、またはそれらの無線アクセス技術内のどの周波数または周波数グループなのか、またはそのいずれかに関して決定するよう、無線アクセス技術優先度設定を使用してもよい。換言すれば、そのセル再選択決定のユーザ装置が無線アクセス技術優先度設定を使用してもよい。
【００３１】
また、パケット転送モードにある場合に使用する無線アクセス技術優先度設定は、実行しているサービス形式に依存してもよい。パケットフローを追加または削除する場合、例えば、パケット転送のため新しいサービス形式を追加するか、既存のものを削除する場合には、ネットワークは無線アクセス技術優先度設定を更新してもよい。
【００３２】
本発明の実施形態によれば、上りリンクチャネルおよび下りリンクチャネルの複数のユーザ装置と通信する通信ネットワークノードを備える通信システムにおいて、異なる無線アクセス技術間の相互作用を処理するユーザ装置における手順は、図２に示すように、以下の通りである。
−前記ユーザ装置がどの動作モードにいるかに依存して無線アクセス技術優先度設定を受信し（ステップ２１）、
−幾つかの実施形態により、受信した前記無線アクセス技術優先度設定に基づきセル再選択を実行し（ステップ２２）、
−前記ユーザ装置がパケット転送モードに入る場合で、もしパケットフローコンテキスト（ＰＦＣ）の追加を完了したなら、通信ネットワーク制御ノードが生成した優先度リストとして前記無線アクセス技術優先度設定を受信し（ステップ２３）、
−前記受信した優先度リストに基づきセル再選択を実行し（ステップ２４）、
−パケットフローコンテキストを追加または削除する場合、更新した優先度リストを受信し（ステップ２３）、
−最後のパケットフローコンテキストの削除を完了した場合、ユーザ装置は待機モードに入る。
【００３３】
幾つかの実施形態によれば、受信した前記無線アクセス技術優先度設定を使用して、測定を実行すべきはどの無線アクセス技術か、およびそれらの無線アクセス技術内のどの周波数または周波数グループか、またはそのいずれかを決定する。
【００３４】
幾つかの実施形態によれば、受信した前記無線アクセス技術優先度設定を使用して、前記通信ネットワークノードに送信する測定報告に含めるべきは、どの無線アクセス技術か、およびそれらの無線アクセス技術内のどの周波数または周波数グループか、またはそのいずれかを決定する。
【００３５】
幾つかの実施形態によれば、前記ユーザ装置がネットワーク制御セル再選択モードにある場合、受信した前記無線アクセス技術優先度設定を使用して、測定を実行すべきはどの無線アクセス技術か、およびそれらの無線アクセス技術内のどの周波数または周波数グループか、またはそのいずれかを決定する。
【００３６】
幾つかの実施形態によれば、前記ユーザ装置がネットワーク制御セル再選択モードにある場合、受信した前記無線アクセス技術優先度設定を使用して、前記通信ネットワークノードに送信する測定報告に含めるべきは、どの無線アクセス技術か、およびそれらの無線アクセス技術内のどの周波数または周波数グループか、またはそのいずれかを決定する。
【００３７】
幾つかの実施形態によれば、前記ユーザ装置がユーザ装置制御セル再選択モードにある場合、受信した前記無線アクセス技術優先度設定を使用して、セル再選択をトリガすべきは、どの無線アクセス技術か、およびそれらの無線アクセス技術内のどの周波数または周波数グループに向けてか、またはそのいずれかを決定する。
【００３８】
幾つかの実施形態によれば、報知チャネルで前記無線アクセス技術優先度設定を受信する。
【００３９】
幾つかの実施形態によれば、シグナリングメッセージで前記無線アクセス技術優先度設定を受信する。
【００４０】
本発明の実施形態によれば、上りリンクチャネルおよび下りリンクチャネルの複数のユーザ装置と通信する通信ネットワークノードを備える電気通信システムにおいて、異なる無線アクセス技術間の相互作用を処理する通信ネットワークノードにおける手順は、図３に示すように、以下の通りである。
−前記ユーザ装置がどの動作モードにあるかに依存して、ユーザ装置に無線アクセス技術優先度設定を送信し（ステップ３１）、
−前記ユーザ装置がパケット転送モードに入る場合で、もしＰＦＣを追加するなら、パケットフローコンテキストのためのサービス品質、サービスＵＴＲＡＮセル変更オーダ（ＣＣＯ）または構成データのうちの少なくとも一つに基づき、前記無線アクセス技術優先度設定を備える優先度リストを生成し（ステップ３２）、 
−前記ユーザ装置に前記無線アクセス技術優先度設定を送信し（ステップ３３）、
− パケットフローコンテキスト（ＰＦＣ）を追加または削除する場合、前記優先度リストを更新し（ステップ３２）、
−前記ユーザ装置に更新した無線アクセス技術優先度設定を備える更新した前記優先度リストを送信し（ステップ３３）、
−パケットフローコンテキストの削除を完了した場合、ユーザ装置は待機モードに入る。
【００４１】
幾つかの実施形態によれば、前記送信された無線アクセス技術優先度設定に基づき、無線アクセス技術およびそれらの無線アクセス技術内の周波数または周波数グループまたはそのいずれかの前記ユーザ装置から測定報告を受信する。
【００４２】
幾つかの実施形態によれば、報知チャネルで前記無線アクセス技術優先度設定を送信する。
【００４３】
幾つかの実施形態によれば、シグナリングメッセージで前記無線アクセス技術優先度設定を送信する。
【００４４】
図４は、ユーザ装置１８と、基地局（ＢＴＳ）のような通信ネットワークノード１５と、基地局制御装置（ＢＳＣ）のようなもう一つの通信ネットワークノードとを示すブロック図であり、上りリンクおよび下りリンクチャネルの複数のユーザ装置と通信する通信ネットワークノードを備える通信システムにおいて、異なる無線アクセス技術間の相互作用を処理するためのものである。
【００４５】
（通信ネットワークノードである）基地局１５には、無線送信器を含む送信ユニット４２と、受信器を含む受信ユニット４１とを備える。送信器４２は、下りリンクチャネル１６で無線インタフェースを介してユーザ装置１８の受信器４８にデータを送信している。受信器４１は、上りリンクチャネル１７でユーザ装置１８からデータを受信している。前記ユーザ装置がどの動作モードにあるかに依存して、無線アクセス技術優先度設定をユーザ装置に送信するよう、送信ユニット４２を更に構成する。
【００４６】
幾つかの実施形態によれば、前記送信された無線アクセス技術優先度設定に基づき、無線アクセス技術およびそれらの無線アクセス技術内の周波数または周波数グループまたはそのいずれかを有する前記ユーザ装置１８から測定報告を受信するよう、受信ユニット４１を構成する。
【００４７】
幾つかの実施形態によれば、前記ユーザ装置１８がパケット転送モードにある場合、パケットフローコンテキストのサービス品質、サービスＵＴＲＡＮセル変更オーダまたは構成データのうちの少なくとも一つに基づき、基地局１５は前記無線アクセス技術優先度設定を含む優先度リストを生成するよう構成した処理ユニット４３を更に備え、前記無線アクセス技術優先度設定を含む前記生成された優先度リストを前記ユーザ装置１８に送信するよう前記送信ユニットを更に構成する。
【００４８】
幾つかの実施形態によれば、パケットフローコンテキストを追加または削除する場合には前記優先度リストを更新するよう前記処理ユニット４３を更に構成する。
【００４９】
幾つかの実施形態によれば、前記無線アクセス技術優先度設定を報知チャネルで受信するよう前記受信ユニット４１を更に構成する。
【００５０】
幾つかの実施形態によれば、前記無線アクセス技術優先度設定をシグナリングメッセージで受信するよう前記受信ユニット４１を更に構成する。
【００５１】
（通信ネットワークノードである）基地局制御装置１０には送信器を含む送信ユニット４４を備える。基地局制御装置１０には受信器を含む受信ユニット４５を更に備える。送信器４４は、基地局１５を経由してユーザ装置１８の受信器４８にデータを送信している。受信器４５は、基地局１５を経由してユーザ装置１８からデータを受信している。前記ユーザ装置がどの動作モードにあるかに依存して、無線アクセス技術優先度設定をユーザ装置に送信するよう、送信ユニット４４を更に構成する。
【００５２】
幾つかの実施形態によれば、送信された前記無線アクセス技術優先度設定に基づき、無線アクセス技術およびそれらの無線アクセス技術内の周波数または周波数グループ、またはそのいずれかを有する前記ユーザ装置から測定報告を受信するよう、受信ユニット４５を構成する。
【００５３】
幾つかの実施形態によれば、前記ユーザ装置１８がパケット転送モードにある場合、パケットフローコンテキストのサービス品質、サービスＵＴＲＡＮセル変更オーダまたは構成データのうちの少なくとも一つに基づき、基地局制御装置１０は前記無線アクセス技術優先度設定を含む優先度リストを生成するよう構成した処理ユニット４９を更に備え、前記無線アクセス技術優先度設定を含む前記生成された優先度リストを前記ユーザ装置１８に送信するよう前記送信ユニットを更に構成する。
【００５４】
幾つかの実施形態によれば、パケットフローコンテキストを追加または削除する場合、前記優先度リストを更新するよう前記処理ユニット４９を更に構成する。
【００５５】
幾つかの実施形態によれば、前記無線アクセス技術優先度設定を報知チャネルで受信するよう前記受信ユニット４５を更に構成する。
【００５６】
幾つかの実施形態によれば、前記無線アクセス技術優先度設定をシグナリングメッセージで受信するよう前記受信ユニット４５を更に構成する。
【００５７】
ユーザ装置１８には無線送信器を含む送信ユニット４７を備える。無線インタフェースを介して上りリンクチャネル１７で基地局１５の受信器４１に、または、基地局１５を経由して基地局制御装置１０の受信器４５にデータパケットを送信するよう、無線送信器を構成する。下りリンクチャネル１６で基地局１５の送信器４２から、または、基地局１５を経由して基地局制御装置１０の送信器４４から送信したデータパケットを受信するよう、受信器を構成する。前記ユーザ装置がどの動作モードにあるかに依存して、無線アクセス技術優先度設定を受信するよう、受信ユニット４７を更に構成する。
【００５８】
幾つかの実施形態によれば、ユーザ装置は、測定を実行すべきはどの無線アクセス技術か、およびそれらの無線アクセス技術内のどの周波数または周波数グループか、またはそのいずれかを決定するため、受信した前記無線アクセス技術優先度設定を使用するよう構成した処理ユニット４８を更に備える。
【００５９】
幾つかの実施形態によれば、前記通信ネットワークノードに送信する測定報告に含めるべきは、どの無線アクセス技術か、およびそれらの無線アクセス技術内のどの周波数または周波数グループか、またはそのいずれかを決定するため、受信した前記無線アクセス技術優先度設定を使用するよう処理ユニット４８を構成する。
【００６０】
幾つかの実施形態によれば、受信した前記無線アクセス技術優先度設定に基づきセル再選択を実行するよう処理ユニット４８を構成する。
【００６１】
幾つかの実施形態によれば、前記ユーザ装置がパケット転送モードにある場合、通信ネットワーク制御ノードが生成した優先度リストとして前記無線アクセス技術優先度設定を受信するよう前記受信ユニット４７を更に構成する。
【００６２】
幾つかの実施形態によれば、前記ユーザ装置がネットワーク制御セル再選択モードにある場合、測定を実行すべきはどの無線アクセス技術か、およびそれらの無線アクセス技術内のどの周波数または周波数グループか、またはそのいずれかを決定するため、受信した無線アクセス技術優先度設定を使用するよう処理ユニット４８を構成する。
【００６３】
幾つかの実施形態によれば、前記ユーザ装置がネットワーク制御セル再選択モードにある場合、前記通信ネットワークノードに送信する測定報告に含めるべきは、どの無線アクセス技術か、およびそれらの無線アクセス技術内のどの周波数または周波数グループか、またはそのいずれかを決定するため、受信した前記無線アクセス技術優先度設定を使用するよう処理ユニット４８を構成する。
【００６４】
幾つかの実施形態によれば、前記ユーザ装置がユーザ装置制御セル再選択モードにある場合、セル再選択をトリガすべきは、どの無線アクセス技術か、およびそれらの無線アクセス技術内のどの周波数または周波数グループに向けてか、またはそのいずれかを決定するため、受信した前記無線アクセス技術優先度設定を使用するよう処理ユニット４８を構成する。
【００６５】
幾つかの実施形態によれば、報知チャネルで前記無線アクセス技術優先度設定を受信するよう前記受信ユニット４７を更に構成する。
【００６６】
幾つかの実施形態によれば、シグナリングメッセージで前記無線アクセス技術優先度設定を受信するよう前記受信ユニット４７を更に構成する。
【００６７】
それらの好ましい実施形態に適用して本発明の基本的な新しい特徴を示し、説明し、指摘したが、理解すべきは、示したデバイスの形式と詳細における、およびそれらの動作における各種の削除と置換と変更とを、本発明の精神から逸脱すること無しに当業者が行うことが可能である、ということである。例えば、明白に意図していることは、同じ結果を達成するため、実質的に同じ方法で実質的に同じ機能を実行する、それらの要素および方法のステップまたはそのいずれかの全ての組合せは、本発明の範囲内にある、ということである。更に、本発明の全ての開示した形式または実施形態に関連して示した、または説明した構造および要素および方法のステップまたはそれらの少なくもいずれかは、一般的な設計選択問題として、任意のその他の開示したまたは説明したまたは暗示した形式または実施形態に包含される可能性がある、ということを認識すべきである。従って、添付した特許請求の範囲が示すようにのみ制限されることが意図するところである。
【００６８】
本発明の実施形態を説明し、特許請求するために使用した"含む"、"備える"、"包含する"、"から成る"、"持つ"、"である"というような表現は、非排他的方法で解釈される、即ち、存在するとも明確に説明していない項目、構成部品または要素を許容することを意図している。また、単数への参照は複数に関連すると解釈すべきであり、逆も同様である。
【００６９】
添付の特許請求項の括弧内に含む数字は、特許請求項の理解を援けることを意図しており、これらの特許請求項が請求する対象を制限すると決して解釈すべきでない。
【図１】
0005714484.tif 000002
【図２】
0005714484.tif 000003
【図３】
0005714484.tif 000004
【図４】
0005714484.tif 000005